(57)【要約】【課題】本発明は、像担持体に接触する各手段に付着する残留トナーを速やかに除去して回収することが可能な画像形成装置を提供することを目的とするものである。【解決手段】非画像形成時において、転写ローラ２４に画像形成時とは逆極性の電圧を印加して、感光体ドラム２３の表面を電荷保持可能に帯電する。そして、回転ブラシ２１に感光体ドラム２の帯電極性とは逆極性の電圧を印加して回転ブラシ２１に付着している残留トナーを感光体ドラム２３に転移させ、帯電器２２に印加する電圧をオフして電位を０Ｖとし帯電器２２に付着している残留トナーを感光体ドラム２３に転移させて現像ローラ２８に回収する。【選択図】図６
2005164689.tif 000002
【特許請求の範囲】
【請求項１】
像担持体と、該像担持体に接触してその表面を帯電させる帯電手段と、前記像担持体の帯電された表面を露光して静電潜像を形成する露光手段と、前記像担持体表面に形成された静電潜像にトナーを付着させて可視像化する現像手段と、前記像担持体の表面に形成されたトナー像を用紙に転写させる転写手段と、前記像担持体の表面に接触してその表面の残留トナーを分散させる分散手段と、前記像担持体を回転制御するとともに用紙に画像形成するように前記各手段を制御する制御手段とを備えた画像形成装置において、前記制御手段は、前記転写手段に対して画像形成時とは逆極性で前記像担持体を電荷保持可能に帯電させる帯電電圧を印加する転写電圧制御手段と、前記帯電電圧が印加された前記転写手段により接触された前記像担持体の表面領域に対する前記分散手段の対向部位の電位をオフ状態とするか又は該表面領域の帯電極性とは逆極性とするように電圧を印加する分散電圧制御手段とを備えていることを特徴とする画像形成装置。
【請求項２】
像担持体と、該像担持体に接触してその表面を帯電させる帯電手段と、前記像担持体の帯電された表面を露光して静電潜像を形成する露光手段と、前記像担持体表面に形成された静電潜像にトナーを付着させて可視像化する現像手段と、前記像担持体の表面に形成されたトナー像を用紙に転写させる転写手段と、前記像担持体の表面に接触してその表面の残留トナーを分散させる分散手段と、前記像担持体を回転制御するとともに用紙に画像形成するように前記各手段を制御する制御手段とを備えた画像形成装置において、前記制御手段は、前記転写手段に対して画像形成時とは逆極性で前記像担持体を電荷保持可能に帯電させる帯電電圧を印加する転写電圧制御手段と、前記帯電電圧が印加された前記転写手段により接触された前記像担持体の表面領域に対する前記帯電手段の対向部位の電位をオフ状態とするか又は該表面領域の帯電極性とは逆極性とするように電圧を印加する帯電電圧制御手段とを備えていることを特徴とする画像形成装置。
【請求項３】
前記制御手段は、前記帯電電圧が印加された前記転写手段により接触された前記像担持体の表面領域に対して前記露光手段が露光するように制御する露光制御手段を備えていることを特徴とする請求項１又は２に記載の画像形成装置。
【発明の詳細な説明】
【技術分野】
【０００１】
本発明は、複写機、プリンタ、ファクシミリ装置等の電子写真方式の画像形成装置に関する。
【背景技術】
【０００２】
電子写真方式の画像形成装置としては、像担持体として例えば感光体ドラムを用いて、その表面に静電潜像を形成し、静電潜像にトナーを付着させて可視像化し用紙に転写する−といった画像形成を行うものが知られている。こうした画像形成装置では、感光体ドラムの表面やその表面に接触する帯電手段等にトナーが残留することが避けられず、残留トナーをそのままにしておくと画質の低下等のトラブルに原因となるため、速やかに残留トナーを除去する必要がある。
【０００３】
こうした残留トナーの対応策としては、例えば、特許文献１では、感光ドラムの後回転時に現像スリーブを停止して現像バイアスを所定時間印加することで、現像スリーブに担持されたトナーのうち感光ドラムに対向する部分のトナーを感光ドラムに転移させ、前回転時に転移させたトナーを転写ローラに転移させて清掃する点が記載されている。特許文献２では、非印字時で用紙がないときに、転写ローラにクリーニング電位を印加し、クリーニング電位はＤＣ成分が０でＡＣ成分によりトナーに往復振動する力を作用させて感光体ドラムには付着し、転写ローラからは離間させるようにする点が記載されている。特許文献３では、画像形成プロセスの終了後、一定時間は転写ローラの印加電圧を画像形成時とは逆極性とし、帯電ローラの印加電圧を画像形成時と同極性かつ、絶対値でより低く設定し、現像手段の印加電圧は感光ドラムの表面電位に対し同等、もしくはそれ以下の電圧を印加する点が記載されている。特許文献４では、転写材搬送ベルトに付着した不要トナーを感光ドラムに戻すために、感光ドラムの表面電位を前露光により低くしておき、転写ブレードに低い電圧を印加しても従来と同様の電位差を得ることができるようにした点が記載されている。
【特許文献１】特開平９−６８９０７号公報
【特許文献２】特開２００１−１７５０９９号公報
【特許文献３】特開２００１−２４９５０２号公報
【特許文献４】特開２００１−３２４８５４号公報
【発明の開示】
【発明が解決しようとする課題】
【０００４】
上述した先行特許文献では、クリーナ等を用いずに転写ローラへの印加電圧を調整することで残留トナーの除去を行っているが、画像形成時に感光体ドラムに接触して残留トナーが付着する帯電器等のクリーニングについては、効率よく行われておらず、例えば特許文献２のように複雑な除去方法が採られている。
【０００５】
そこで、本発明は、従来技術の上述した問題点に鑑み、像担持体に接触する各手段に付着する残留トナーを速やかに除去して回収することが可能な画像形成装置を提供することを目的とするものである。
【課題を解決するための手段】
【０００６】
本発明に係る画像形成装置は、像担持体と、該像担持体に接触してその表面を帯電させる帯電手段と、前記像担持体の帯電された表面を露光して静電潜像を形成する露光手段と、前記像担持体表面に形成された静電潜像にトナーを付着させて可視像化する現像手段と、前記像担持体の表面に形成されたトナー像を用紙に転写させる転写手段と、前記像担持体の表面に接触してその表面の残留トナーを分散させる分散手段と、前記像担持体を回転制御するとともに用紙に画像形成するように前記各手段を制御する制御手段とを備えた画像形成装置において、前記制御手段は、前記転写手段に対して画像形成時とは逆極性で前記像担持体を電荷保持可能に帯電させる帯電電圧を印加する転写電圧制御手段と、前記帯電電圧が印加された前記転写手段により接触された前記像担持体の表面領域に対する前記分散手段の対向部位の電位をオフ状態とするか又は該表面領域の帯電極性とは逆極性とするように電圧を印加する分散電圧制御手段とを備えていることを特徴とする。
【０００７】
本発明に係る別の画像形成装置は、像担持体と、該像担持体に接触してその表面を帯電させる帯電手段と、前記像担持体の帯電された表面を露光して静電潜像を形成する露光手段と、前記像担持体表面に形成された静電潜像にトナーを付着させて可視像化する現像手段と、前記像担持体の表面に形成されたトナー像を用紙に転写させる転写手段と、前記像担持体の表面に接触してその表面の残留トナーを分散させる分散手段と、前記像担持体を回転制御するとともに用紙に画像形成するように前記各手段を制御する制御手段とを備えた画像形成装置において、前記制御手段は、前記転写手段に対して画像形成時とは逆極性で前記像担持体を電荷保持可能に帯電させる帯電電圧を印加する転写電圧制御手段と、前記帯電電圧が印加された前記転写手段により接触された前記像担持体の表面領域に対する前記帯電手段の対向部位の電位をオフ状態とするか又は該表面領域の帯電極性とは逆極性とするように電圧を印加する帯電電圧制御手段とを備えていることを特徴とする。
【０００８】
さらに、上記の画像形成装置において、前記制御手段は、前記帯電電圧が印加された前記転写手段により接触された前記像担持体の表面領域に対して前記露光手段が露光するように制御する露光制御手段を備えていることを特徴とする。
【発明の効果】
【０００９】
本発明に係る画像形成装置は、上記のような構成を有することで、転写電圧制御手段が、転写手段に対して画像形成時とは逆極性で像担持体を電荷保持可能に帯電させる帯電電圧を印加するので、画像形成時の帯電手段と同様の帯電状態を像担持体の表面に形成できる。そして、転写手段は、現像手段の下流側に配置されているため、転写手段により形成された像担持体の帯電領域は、最後に現像手段を通過するようになり、他の手段の残留トナーの除去が行われた後現像手段による残留トナーの回収が行われ、効率よく残留トナーの回収動作を行うことができる。
【００１０】
そのため、画像形成を行っていない間に容易に行うことができ、像担持体に接触する各手段を頻繁にクリーニングすることで残留トナーが蓄積することを避けることができる。したがって、各手段を常時最適の状態に維持することが可能となる。
【００１１】
また、分散電圧制御手段が、帯電電圧が印加された転写手段により接触された像担持体の表面領域に対する分散手段の対向部位の電位をオフ状態とするか又は該表面領域の帯電極性とは逆極性とすることで、分散手段に付着した残留トナーが像担持体に速やかに回収することができる。
【００１２】
本発明に係る別の画像形成装置は、上記のような構成を有することで、上述したように残留トナーの回収が効率よく行われるとともに、帯電電圧制御手段が、帯電電圧が印加された転写手段により接触された像担持体の表面領域に対する帯電手段の対向部位の電位をオフ状態とするか又は該表面領域の帯電極性とは逆極性とするように電圧を印加することで、帯電手段に付着した残留トナーが像担持体に速やかに回収することができる。
【００１３】
さらに、
【発明を実施するための最良の形態】
【００１４】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１５】
図１は本発明に係る画像形成装置全体の概略断面図である。画像形成装置１の上部には原稿読取部２が配置され、その下部には、底面から給紙部３、記録部４が配されている。
【００１６】
原稿読取部２では、原稿カバー１０が設けられた原稿トレイ１１に載置された原稿が原稿搬送装置１２により読取手段５に対向する位置に搬送されて原稿読取動作が行われ、原稿排紙トレイ１３に排出される。書籍等を読み取る場合には、原稿カバー１０を上方に回動してフラットベッドプラテン１４に書籍等の被読取部分を配置し読取手段により読取動作が行われる。以上の構成は、いわゆるＡＤＦ及びフラットベッドタイプと称される従来の原稿読取装置と同様のものである。
【００１７】
給紙部３では、給紙カセット１５が配置されており、フラッパ１６に所定のサイズの用紙が複数枚積載されている。給紙カセット１５の端部（図１の右端部）には、ピックアップローラ１７が配置されている。そして、フラッパ１６は、積載された用紙の上面がピックアップローラ１７に圧接するように上方に付勢されている。この状態でピックアップローラ１７が回転駆動すると、摩擦力により用紙が一枚ずつ用紙搬送路に給紙されるようになる。
【００１８】
給紙された用紙は、まずフィードローラ１８及びプレスローラ１９により記録部４に搬送される。記録部４では、搬送された用紙に記録するために、現像器２０、回転ブラシ２１、帯電器２２、感光体ドラム２３、転写ローラ２４、レーザースキャンユニット（以下「ＬＳＵ」と略称する。）２５及び定着ローラ２６が備えられている。
【００１９】
感光体ドラム２３は、円筒状で、外周面に感光体として所定膜厚の光導電膜が設けられている。感光体ドラム２３はメインモータにより回転駆動され、帯電器２２、ＬＳＵ２５及び現像器２０によってその表面に像形成が行われる。帯電器２２は、帯電ローラが用いられ、感光体ドラム２３の表面に接触した状態で帯電電圧が印加されることで、感光体ドラム２３の外周面を一様に帯電するように作用する。帯電ローラの代わりに公知の帯電ブラシを用いてもよい。なお、感光体ドラム２３が帯電した状態とは、感光体ドラム２３の表面に電荷が保持された状態を意味する。
【００２０】
ＬＳＵ２５は、レーザーによって発振されたレーザー光を一様に帯電された感光体ドラム２３の表面に照射して露光する。レーザー光を照射する際にポリゴンミラー等の光学系によって感光体ドラム２３の表面を走査させ画像情報に従って静電潜像を形成する。現像器２０は、内部にトナーが貯留されており、供給ローラ２７及び現像ローラ２８によってトナーを感光体ドラム２３表面に転移して表面に形成された静電潜像を可視像化する。現像ローラ２８には現像電圧が印加されており、感光体ドラム２３の表面の帯電電荷と現像電圧との間の電位差によって現像ローラ２８の表面に付着したトナーが移動してトナー像が形成される。
【００２１】
転写ローラ２４は、電子導電性ローラ又はイオン導電性ローラが主に用いられており、いずれも高電圧の転写電圧が印加されてその電界吸引力により感光体ドラム２３の表面に現像されたトナーを移動させる。感光体ドラム２３と転写ローラ２４との間に用紙が存在している場合には用紙にトナーが転写されるようになる。用紙がない場合には感光体ドラム２３の表面に転写ローラ２４が当接した状態になっている。用紙に転写されたトナーは図示せぬ除電ブラシにより電荷が除かれる。
【００２２】
回転ブラシ２１は、転写ローラ２４の下流側に配置されており、感光体ドラム２３の表面に接触して表面に付着している紙粉を除去したり、転写されずに表面に残留したトナーを感光体ドラム２３の表面で分散させるように作用する。回転ブラシ２１には、一定の電圧が印加されており、残留トナーを効率よく分散させるようにしている。
【００２３】
転写されたトナー像は、定着ローラ２６及びプレスローラ２９によって狭持されて加熱・プレスされ用紙に定着される。定着ローラ２６内にはヒータランプが設けられており、ヒータランプを発熱させて加熱する。定着された用紙は、排紙ローラ３０及びプレスローラ３１の間に狭持されて用紙排出トレイ３２に搬出される。
【００２４】
図１において、給紙部３から用紙排出トレイ３２までを一点鎖線で示したのが、用紙搬送路である。また、装置本体１の側面には、反転搬送ユニット４０が着脱自在に装着されており、その装着側面には、用紙搬出口４１及び用紙搬入口４２が形成されている。搬送ユニット４０内には、フィードローラ４３及びプレスローラ４４、フィードローラ４５及びプレスローラ４６の２対の搬送ローラが上下に配設されている。そして、図１の二点鎖線で示すように反転搬送路が、排紙ローラ３０と定着ローラ２６との間の用紙搬送路から分岐して、２対の搬送ローラ４３及び４４、４５及び４６の間を通り、ローラ対１８及び１９とピックアップローラ１７との間の用紙搬送路に合流するように形成される。
【００２５】
用紙搬送路には、排紙ローラ３０と記録部４の定着ローラ２６との間に用紙検知センサ３３が配置されており、ローラ対１８及び１９とピックアップローラ１７との間にも用紙検知センサ３４が配置されている。用紙の片面のみに記録する場合には、一点鎖線で示す用紙搬送路に用紙を搬送し用紙検知センサ３３及び３４の検知信号に基づいて適宜動作制御されて画像形成が行われるが、用紙の両面に記録を行う場合には、片面記録された用紙を一旦用紙排出トレイ３２に排出し、用紙の後端が用紙検知センサ３３により検知されると、排紙ローラ３０を逆回転して用紙を反転搬送路に搬入するように制御される。反転搬送路に搬入された用紙は再び搬送ローラ１８及び１９に搬入されて用紙搬送路を搬送され、もう一方の片面に記録が行われるようになる。
【００２６】
図２は、画像形成装置の全体ブロック図を示している。本実施形態では、ファクシミリ機能及び複写機能を備えており、具体的には、制御手段であるＭＰＵ１００、ネットワークとの交信制御を行うＮＣＵ１０１、ファクシミリ交信制御を行うＭＯＤＥＭ１０２、プログラム等を記憶するＲＯＭ１０３、データ等を記憶するＲＡＭ１０４、受信したり読み取った画像情報を記憶する画像メモリ１０５、画像情報を符号化又は復号化するＣＯＤＥＣ１０６、操作者からの入力情報や警告等の報知情報を送受信する操作部１０７、画像情報を読み取るスキャナ１０８、外部のコンピュータ等からのプリント指令を受信するプリンタインタフェース１０９を備えている。これらの各機能ブロックは、互いにデータバス及びアドレスバスにより接続されており、ＭＰＵ１００により全体制御されるようになっている。そして、ファクシミリで受信した情報、スキャナで読み取った情報及びプリント指令とともに受信した情報は、記録部コントローラ１１０に送信されて用紙に画像形成されるようになる。
【００２７】
図３は、記録部４における回路構成を示す概略図である。上述したように感光体ドラム２３の周囲には、その回転方向に沿って帯電器２２、ＬＳＵ２５、現像器２０、転写ローラ２４及び回転ブラシ２１が順に配列されている。
【００２８】
帯電器２２には、帯電電圧印加回路５０が接続されており、正の帯電電圧ＨＶＣが印加される。記録部コントローラ１１０からの制御信号に基づいて帯電電圧印加回路５０が帯電電圧ＨＶＣを帯電器２２に印加すると感光体ドラム２３の表面は約＋９００Ｖに一様に帯電された状態となる。ＬＳＵ２５には、記録部コントローラ１１０から画像情報に基づく記録信号が送信され、レーザー光を感光体ドラム２３の表面に走査しながら記録信号に基づいて照射し、感光体ドラム２３の一様に帯電された表面を露光して画像情報に対応した静電潜像を形成する。露光されることで、感光体ドラム２３の表面電位は約＋１００Ｖの露光電位となる。
【００２９】
現像器２０内の供給ローラ２７、現像ローラ２８及びブレード３５には現像電圧印加回路５１が接続されており、記録部コントローラ１１０からの制御信号に基づいて現像電圧印加回路５１がそれぞれに電圧を印加する。供給ローラ２７には所定の供給電圧（＋３００Ｖ〜＋７００Ｖ）が印加されて、現像器２０内のトナーを正に帯電させながら現像ローラ２８に供給する。現像ローラ２８には所定の現像電圧ＨＶＢ（＋３００Ｖ〜＋７００Ｖ）が印加され、感光体ドラム２３の表面に接触しながら露光部分との電位差を利用してトナーを転移する。また、ブレード３５には所定のバイアス電圧（＋３００Ｖ〜＋７００Ｖ）が印加され、現像ローラ２８の表面に対して弾性力によって圧接し現像ローラ２８の表面に付着したトナー層の層厚を均一にする。
【００３０】
転写ローラ２４には転写電圧印加回路５２が接続されており、記録部コントローラ１１０からの制御信号に基づいて転写電圧印加回路５２が転写電圧ＨＶＴ（１７００Ｖ）を転写ローラ２４に印加し、感光体ドラム２３の表面に形成されたトナー像を電界吸引力により用紙に転写する。
【００３１】
定着ローラ２６にはヒータ駆動回路５３が接続されており、記録部コントローラ１１０からの制御信号に基づいてヒータ駆動回路５３が動作して定着ローラ２６内のヒータランプを発熱させる。定着ローラ２６の表面温度を検知するためにサーミスタ５４が表面に接触して配置されており、サーミスタ５４の検知信号に基づいて記録部コントローラ１１０はヒータ駆動回路５３を制御し、定着ローラ５３の表面温度を所定温度に維持するようにする。
【００３２】
回転ブラシ２１には分散電圧印加回路５５が接続されており、記録部コントローラ１１０からの制御信号に基づいて分散電圧印加回路５５が分散電圧ＨＶＣＬを回転ブラシ２１に印加し、感光体ドラム２３表面の残留トナーを効率よく分散させるようにする。
【００３３】
記録部コントローラ１１０は、主モータ５６及び副モータ５７に対して制御信号を送信して駆動制御を行う。主モータ５６は、記録部コントローラ１１０からの制御信号に基づいて、ピックアップローラ１７、フィードローラ１８、回転ブラシ２１、感光体ドラム２３、供給ローラ２７、現像ローラ２８、定着ローラ２６、プレスローラ２９を回転駆動させる。また、排紙ローラ３０は、主モータ５６からの回転駆動力によりクラッチを介して用紙を排紙する方向に回転されるようになっている。副モータ５７は、記録部コントローラ１１０からの制御信号に基づいて、フィードローラ４３及び４５を回転駆動するとともに、排紙ローラ３０をクラッチを介して用紙を反転搬送する方向に回転駆動する。
【００３４】
記録部コントローラ１１０は、装置内に配設された排気ファン５８及び吸気ファン５９に対しても制御信号を送信して装置内の吸排気制御を行う。排気ファン５８は、装置内の空気を外部に排出し、吸気ファン５９は、外気を装置内に取り込むように作用する。
【００３５】
転写ローラ２４には、感光体ドラム２３との間で流れる電流値を検知する電流値検知回路６０が接続されており、また、その近傍には、温度検知センサ６１及び湿度検知センサ６２が配設されている。そして、電流値検知回路６０、温度検知センサ６１及び湿度検知センサ６２のそれぞれの検知信号は記録部コントローラ１１０に送信されるようになっている。これらの検知信号に基づいて記録部コントローラ１１０は、感光体ドラム２３の表面のピンホール等の画質低下を招くような異常状態を判定する。
【００３６】
図４から図９は、回転ブラシ２１及び帯電ローラ２２に付着した残留トナーを除去してクリーニングし残留トナーを現像ローラ２８に回収するための制御処理を示しており、図４から図８は、制御処理における転写ローラ２４、回転ブラシ２１及び帯電ローラ２２への電圧印加処理過程及びＬＳＵ２５の露光処理過程を示しており、図９は、制御処理のタイムチャートを示している。
【００３７】
図４は、画像形成時における各手段の制御処理を示しており、帯電器２２には、帯電電圧印加回路５０により約＋１２００Ｖの電圧が印加されており、そのため感光体ドラム２３の表面は帯電状態になる。感光体ドラム２３が回転して帯電状態の表面領域にＬＳＵ２５により露光を行うことで露光部分の電位が低下し静電潜像が形成される。現像ローラ２８には、現像電圧印加回路５１により約＋４００Ｖの電圧が印加されており、感光体ドラム２３が回転して静電潜像が形成された表面領域に現像ローラ２８が当接することで静電潜像にトナーが付着して可視像化される。転写ローラ２４には、転写電圧印加回路５２により約−１５００Ｖの電圧が印加されており、感光体ドラム２３が回転して表面に形成されたトナー像が転写ローラ２４に対向すると、感光体ドラム２３と転写ローラ２４との間を矢印方向に通過する用紙Ｓにトナー像を転移させる。回転ブラシ２１には、分散電圧印加回路５３により約＋４００Ｖの電圧が印加されており、感光体ドラム２３が回転して回転ブラシ２１と接触すると、表面の残留トナーが分散されて現像ローラ２８への回収を容易にする。
【００３８】
図５は、非画像形成時において用紙が感光体ドラム２３と転写ローラ２４との間に存在していない状態で、残留トナーの除去処理が開始された状態を示している。残留トナーの除去処理は、図９の時刻ｔaから開始され、感光体ドラム２３を回転する主モータ５６が回転駆動された状態（オン状態）で、転写電圧ＨＶＴとして約＋１５００Ｖが転写ローラ２４に印加される。この転写電圧ＨＶＴは、画像形成時とは逆極性で、感光体ドラム２３の表面が電荷保持可能に帯電される帯電電圧に設定される。したがって、感光体ドラム２３の表面は、画像形成時の帯電器２２と同様に約＋９００Ｖの表面電位で帯電状態となる。
【００３９】
転写電圧ＨＶＴは、図９に示すように、タイマＴ１がタイムアップするまで＋１５００Ｖが印加されてその後オフされる。タイマＴ１は、感光体ドラム２３が回転して転写ローラ２４により帯電された表面領域が回転ブラシ２１及び帯電器２２の全周と接触するのに必要な時間以上に設定されている。
【００４０】
次に、回転ブラシ２１には、図９に示すように、時刻ｔaからカウント開始したタイマＴ２がタイムアップするタイミングで分散電圧ＨＶＣＬが約ー２００Ｖ印加される。タイマＴ２は、感光体ドラム２３が回転して転写ローラ２４により帯電された表面領域が回転ブラシ２１に当接するまでに必要な時間に設定されている。
【００４１】
分散電圧ＨＶＣＬとして、転写ローラ２４により帯電された感光体ドラム２３の表面領域の帯電極性とは逆極性の電圧を印加するので、回転ブラシ２１と感光体ドラム２３との間に大きな電位差が生じる。そのため、回転ブラシ２１に付着している残留トナーは、電位差による電気的な力と回転ブラシ２１の摺動による機械的な力により感光体ドラム２３の表面に転移して保持されるようになる。分散電圧ＨＶＣＬは、逆極性の電圧印加と同時にカウントを開始するタイマＴ３がタイムアップすると、画像形成時と同様の約＋４００Ｖが印加されるようになる。タイマＴ３は、タイマＴ１と同程度の時間に設定されており、タイマＴ３の間に回転ブラシ２１の全周が転写ローラ２４により帯電された感光体ドラム２３の表面領域に接触するようになるため、回転ブラシ２１の全周について残留トナーの除去が行われるようになる。
【００４２】
図６に示すように、感光体ドラム２３が回転して転写ローラ２４により帯電された表面領域が帯電器２２に当接する位置に到来すると、帯電器２２に印加される帯電電圧ＨＶＣはオフされる。そのため帯電器２２の電位は０Ｖとなり、感光体ドラム２３との間に大きな電位差が生じる。そのため、帯電器２２に付着している残留トナーは、電位差による電気的な力と帯電器２２の摺動による機械的な力により感光体ドラム２３の表面に転移して保持されるようになる。帯電電圧ＨＶＣは、図９に示すように、分散電圧ＨＶＣＬに逆極性の電圧印加開始と同時にカウントを開始するタイマＴ４がタイムアップするタイミングでオフされ、オフされると同時にカウントを開始するタイマＴ５がタイムアップすると画像形成時と同様に約１２００Ｖの電圧が印加されるようになる。タイマＴ５は、タイマＴ１と同程度の時間に設定されており、タイマＴ５の間に帯電器２２の全周が転写ローラ２４により帯電された感光体ドラム２３の表面領域に接触するようになるため、帯電器２２の全周について残留トナーの除去が行われるようになる。
【００４３】
図７に示すように、感光体ドラム２３が回転して転写ローラ２４により帯電された表面領域が露光位置に到来すると、ＬＳＵ２５により全露光される。全露光により感光体ドラム２３の表面電位は約＋１００Ｖまで低下する。そのため、感光体ドラム２３の表面に転移した残留トナーは付着力が弱められて現像ローラ２８に容易に回収されるようになる。ＬＳＵ２５は、図９に示すように、帯電器２２がオフされると同時にカウントを開始するタイマＴ６がタイムアップするタイミングで露光を開始し、露光開始と同時にカウントを開始するタイマＴ７がタイムアップする時刻ｔbには、露光が停止されるとともに主モータが回転を停止して、回転ブラシ２１及び帯電器２２への電圧の印加がオフされる。タイマＴ７は、ＬＳＵ２５による全露光が感光体ドラム２３が１回転してさらに露光位置から現像ローラ２８まで行うのに必要な時間に設定されており、図８に示すように、その間転写ローラ２４はオフされて感光体ドラム２３から残留トナーが転移するのが防止され、回転ブラシ２１及び帯電器２２には画像形成時と同様の電圧が印加されて感光体ドラム２３の表面の残留トナーが現像ローラ２８に回収されやすくする。したがって、タイマＴ７の間に感光体ドラム２３の表面のクリーニングが十分行うことようになる。
【００４４】
以上の例では、回転ブラシ２１に分散電圧ＨＶＣＬとして約−２００Ｖの電圧を印加しているが、オフして回転ブラシ２１の電位を０Ｖとしてもよい。逆に、帯電器２２に印加する帯電電圧ＨＶＣとして、感光体ドラム２３の帯電極性と逆極性の電圧を印加するようにしてもよい。また、回転ブラシ２１及び帯電器２２が、平板状に形成されている場合にはその幅を基準にタイマＴ１を設定するようにすればよい。
【図面の簡単な説明】
【００４５】
【図１】本発明に係る実施形態に関する全体構成を示す概略断面図である。
【図２】本発明に係る実施形態に関する全体ブロック図である。
【図３】本発明に係る実施形態に関する要部回路構成図である。
【図４】本発明に係る実施形態に関する電圧印加処理過程を示す説明図である。
【図５】本発明に係る実施形態に関する電圧印加処理過程を示す説明図である。
【図６】本発明に係る実施形態に関する電圧印加処理過程を示す説明図である。
【図７】本発明に係る実施形態に関する電圧印加処理過程を示す説明図である。
【図８】本発明に係る実施形態に関する電圧印加処理過程を示す説明図である。
【図９】本発明に係る実施形態に関するタイムチャートである。
【符号の説明】
【００４６】
１    装置本体
２    原稿読取部
３    給紙部
４    記録部
５    読取手段
【図１】
2005164689.tif 000003
【図２】
2005164689.tif 000004
【図３】
2005164689.tif 000005
【図４】
2005164689.tif 000006
【図５】
2005164689.tif 000007
【図６】
2005164689.tif 000008
【図７】
2005164689.tif 000009
【図８】
2005164689.tif 000010
【図９】
2005164689.tif 000011